(57)【要約】【課題】梁を必要とせず、かつスラブとして柱頭や支板の無いフラットプレート等を用いることができるとともに、スラブ厚や柱のサイズの低減化も図ることが可能になる柱とスラブの接合構造を提供する。【解決手段】上階柱１と下階柱２とを分断し、これら上階柱１と下階柱２との間に金属板６を、その外周部分６ａを上階柱１および下階柱２の外周面より外方に延出させて介装するとともに、上階柱１および下階柱２の周囲に、金属板６を内包するようにしてフラットスラブまたはフラットプレート３を打設した。【選択図】図１
2011149211.tif 000002
【特許請求の範囲】
【請求項１】
上階柱と下階柱とを分断し、これら上階柱と下階柱との間に金属板を、その外周部分を上記上階柱および下階柱の外周面より外方に延出させて介装するとともに、上記金属板を内包するようにしてフラットスラブまたはフラットプレートを打設してなることを特徴とする柱とスラブの接合構造。
【請求項２】
上記金属板は、その下面がフラットスラブまたはフラットプレートの下面に露出していることを特徴とする請求項１に記載の柱とスラブの接合構造。
【請求項３】
上記フラットスラブまたはフラットプレート内には、上記金属板の上記外周部分の上方において上記上階柱の外周を囲繞するせん断補強筋が配設されていることを特徴とする請求項１または２に記載の柱とスラブの接合構造。
【発明の詳細な説明】
【技術分野】
【０００１】
本発明は、柱とフラットスラブやフラットプレート等のスラブとの接合構造に関するものである。
【背景技術】
【０００２】
一般に、建物の躯体は、柱梁架構によって構成されるとともに、上記梁上にコンクリートスラブが打設されることにより構築されている。
ところで、このような柱梁架構によって構成された躯体においては、特にコンクリートスラブの下方に形成される天井内空間に上記梁が突出することになる。このため、当該梁によって天井内における配管設計に制約を生じたり、あるいは設備機器類の配置やメンテナンスにも支障を来すことがある。また、梁せいも考慮して天井内空間の有効寸法を決定する必要があるために、居室内に所望の天井高さを確保しようとすると、相対的に高階高になるという問題点がある。
【０００３】
そこで、例えば下記特許文献１においては、このような梁を設けない柱とスラブとの接合構造として、鋼管内にコンクリートが充填された鋼管コンクリート柱と、当該鋼管コンクリート柱の周囲に支板が形成されたフラットスラブとの接合部構造が提案されている。
【０００４】
この接合部構造は、上下２本の鋼管の間に、中央部にコンクリート充填用の開口部が形成された鋼板を挟み込んで、各鋼管の端面と鋼板を突き合わせ溶接することにより一体化した後に、これら鋼管内にコンクリートを充填することにより上記鋼管コンクリート柱とし、上記鋼板が上記支板のコンクリート中に位置するようにして上記フラットスラブを打設したものである。
【０００５】
上記構成からなる従来の接合部構造によれば、鋼管の外周側に突出する上記鋼板によって、フラットスラブに作用する鉛直荷重を、鋼管コンクリート柱に伝達することができ、よって梁を無くすことができるという利点がある。
【先行技術文献】
【特許文献】
【０００６】
【特許文献１】特開２０００−２０４６７５号公報
【発明の概要】
【発明が解決しようとする課題】
【０００７】
しかしながら、上記従来の柱とスラブの接合部構造にあっては、スラブに作用する荷重を下階柱に伝達するために十分なパンチング耐力を確保するため、拡大された柱頭あるいは支板が必要であった。これは、柱とスラブとが剛接合されている結果、建物に水平荷重が作用した場合等に、柱とスラブとに大きな曲げ応力が作用し、この応力に対応するため配筋量およびスラブ厚も増さざるを得ず、スラブ重量も増大するために、上記支板を有するフラットスラブを採用せざるを得ないからである。
【０００８】
このため、上記支板等によって、上述した梁の場合と同様に天井内空間に凹凸が形成されてしまうために、依然として建築・設備計画に制約を与えるという問題点があった。
加えて、天井内空間における上記支板等を避けて配管しなければならない点や、フラットスラブの打設時に型枠が複雑になる点、さらには鋼管と鋼板との溶接の加工が必要な点などの問題点があった。
【０００９】
本発明は、上記事情に鑑みてなされたものであり、梁を必要とせず、かつスラブとして支板等の無いフラットプレート等のスラブを用いることができるとともに、スラブ厚や柱のサイズの低減化も図ることが可能になる柱とスラブの接合構造を提供することを課題とするものである。
【課題を解決するための手段】
【００１０】
上記課題を解決するため、請求項１に記載の柱とスラブの接合構造は、上階柱と下階柱とを分断し、これら上階柱と下階柱との間に金属板を、その外周部分を上記上階柱および下階柱の外周面より外方に延出させて介装するとともに、上記金属板を内包するようにしてフラットスラブまたはフラットプレートを打設してなることを特徴とするものである。
【００１１】
ここで、上記柱としては、プレキャストコンクリート柱、コンクリート充填鋼管柱（ＣＦＴ）、鉄骨柱等の様々な形態の柱が適用可能である。
また、上記フラットスラブとは、スラブが梁の仲介なく、直接柱に緊結された２方向以上の配筋を持つ鉄筋コンクリートスラブであって、支板等のあるものをいい、上記支板等のないものをフラットプレートという。
【００１２】
また、請求項２に記載の発明は、請求項１に記載の発明において、上記金属板の下面がフラットスラブまたはフラットプレートの下面に露出していることを特徴とするものであり、さらに請求項３に記載の発明は、上記フラットスラブまたはフラットプレート内には、上記金属板の上記外周部の上方において上記上階柱の外周を囲繞するせん断補強筋が配設されていることを特徴とするものである。
【発明の効果】
【００１３】
請求項１〜３のいずれかに記載の発明においては、下階柱の柱頭に金属板が載置され、この金属板の上面に上階柱の柱脚が載置された構造であって、これらの周囲に、上記金属板を内包するようにしてフラットスラブまたはフラットプレートが打設されている。この結果、上記上下階の柱から外方に延出する上記金属板により上記フラットスラブまたはフラットプレートのパンチング耐力を増加させて、当該フラットスラブまたはフラットプレートに作用する荷重を下階柱に伝達することができるために、梁および支板等を無くすことができ、建築・設備計画上も、型枠・配筋作業等の施工上も有利となる。
【００１４】
また、型枠作業において、フラットスラブやフラットプレートの打設にシステム型枠を使用する場合には、一層施工性を向上させることが可能になる。
しかも、下階柱と上階柱とが金属板を間に介した別個の部材として構成されているために柱を接合する必要が無く、加工性にも優れる。
【００１５】
さらに、金属板を間に介した下階柱および上階柱と上記フラットスラブまたはフラットプレートとの接合が、半剛接合であるために、これら上下階柱および上記フラットスラブあるいはフラットプレートに作用する曲げ応力を低減して、柱の曲げ応力およびせん断応力を低減させることができるために、柱の断面寸法をより小さくすることができる。
【００１６】
この結果、躯体の特に天井内空間に凹凸を生じることが無く、よって容易に所望とする開放性の高い空間を確保することができるために、設備機器類や配管等の配置やメンテナンススペースの確保等について、設計計画上の自由度を大幅に高めることができる。また、天井内の有効寸法を、梁や柱頭あるいは支板が存在する従来の構造よりも小さくすることが可能になるために、建物階高を抑えて経済的な建物を実現することもできる。
【００１７】
加えて、金属板を間に介した下階柱および上階柱とフラットスラブまたはフラットプレートとを半剛接合とした結果、上下階柱および上記フラットプレート等に作用する曲げ応力が低減するために、上記上階柱、下階柱および上記フラットプレート等の断面寸法を小さく抑えることも可能になる。
【００１８】
なお、請求項１または２に記載の発明においては、上記フラットプレート等に作用する荷重を、上下階の柱から外方に延出する金属板の外周部分によって、下階柱に伝達する構造であるために、荷重を受ける金属板の外周部分の面積や、フラットプレート等のスラブ厚やコンクリートの種類等によっては、大きな荷重が作用した際に、当該金属板の外周縁からフラットスラブあるいはフラットプレートの上面に向けて有害なせん断ひび割れが生じる可能性がある。
【００１９】
このような場合には、請求項３に記載の発明のように、フラットスラブ内あるいはフラットプレート内に、金属板の上記外周部分の上方において上階柱の外周を囲繞するせん断補強筋を配設すれば、パンチング破壊に対する耐力を高めて、上記せん断ひび割れやパンチング破壊の発生を未然に防止することができるために好適である。
【００２０】
なお、本発明においては、上下階柱と上記フラットプレート等とを半剛接合した結果、水平荷重に対する抵抗力が低くなる。このため、建物全体として所定の耐震性能を確保するための水平抵抗要素として、別途コア部分に耐震壁、制振壁、ブレース等を設けることが好ましい。このような観点から、本発明に係る接合構造は、建物の構成要素として、水平抵抗部を的確に分離した損傷制御設計の考え方を導入した建物に用いて好適である。
【図面の簡単な説明】
【００２１】
【図１】本発明に係る柱とスラブの接合構造の一実施形態を示す縦断面図である。
【図２】図１のＡ−Ａ線視断面図である。
【図３】図１のＢ−Ｂ線視断面図である。
【図４】本発明の一実施形態を適用して好適な建物の構造を示すもので、（ａ）は平面図、（ｂ）はコア部分の縦断面図である。
【図５】本発明の他の実施形態を示す縦断面図である。
【図６】本発明の他の実施形態を示す縦断面図である。
【発明を実施するための形態】
【００２２】
図１〜図３は、本発明に係る柱とスラブの接合構造の一実施形態を示すもので、図中符号１が上階柱、２が下階柱、３が床スラブを形成するフラットプレートである。ここで、上階柱１および下階柱２は、それぞれプレキャストコンクリート（ＰＣａ）柱である。
【００２３】
そして、下階柱２の柱頭の端面と上階柱１の柱脚の端面との間に、鋼板（金属板）６が介装されている。すなわち、下階柱２上に鋼板６が載置され、この鋼板６上に上階柱１が下階柱２と互いの軸線を一致させて積層状態で配置されている。なお、上記鋼板６の上下に位置する上階柱１の柱脚および下階柱２の柱頭のフラットプレート３内に埋設される部分には、耐火材４を充填した薄肉鋼管５によって覆われることにより、耐火被覆が施されている。
【００２４】
また、鋼板６は、外周部分６ａが上階柱１および下階柱２の外周面から外方に延出する外法寸法に形成されており、当該外周部分６ａの面積および厚さ寸法は、フラットプレート３が十分なパンチング耐力を有し、かつフラットプレート３に作用する鉛直荷重を外周部分６ａが下階柱２に伝達可能な剛性および強度となるように設定されている。
さらに、この鋼板６の上面には、上階柱１の耐火被覆を囲繞するようにして、肉厚鋼管からなる曲げ補強材７が設けられている。
【００２５】
そして、これら上階柱１の柱脚および下階柱２の柱頭の周囲に、鋼板６を内包するようにして上記フラットプレート３が打設されている。このフラットプレート３内の上下部には、それぞれ異形鉄筋からなる複数本のスラブ筋８が、水平面内のＸ−Ｙ方向に配筋されている。ここで、スラブ筋８は、上階柱１および下階柱２内に定着されていない。
【００２６】
これにより、上階柱１および下階柱２とフラットプレート３との接合部は、半剛接合になっている。なお、これら上階柱１および下階柱２とフラットプレート３との接合状態が半剛接合である限りにおいて、上階柱１、鋼板６および下階柱２間に、柱間のずれ防止および引き抜き防止のための鉄筋等からなる芯材を挿入しても良い。
【００２７】
そして、フラットプレート３内の上下のスラブ筋８間には、鋼板６の外周部分６ａの上方において上階柱１の外周を囲繞するせん断補強筋リング（せん断補強筋）９が配筋されている。
このせん断補強筋リング９は、円形の内側上端筋９ａおよび内側下端筋９ｂと、これより大径の外側上端筋９ｃおよび外側下端筋９ｄとが、円周方向に等間隔をおいて配置されたあばら筋９ｅによって連結されることにより一体化されたものである。
【００２８】
そして、このせん断補強筋リング９は、鋼板６の上方であって、かつ内側上端筋９ａおよび内側下端筋９ｂを当該鋼板６の外周縁６ｂよりも内側に位置させ、外側上端筋９ｃおよび外側下端筋９ｄを上記外周縁６ｂよりも外側に位置させて配筋されている。これにより、せん断補強筋リング９は、一般的に生じ易いとされる鋼板６の外周縁６ｂからフラットプレート３の上面に至るせん断ひび割れ線を横断して、パンチング破壊に対する耐力を効果的に高めるように配置されている。
【００２９】
以上の構成からなる柱とフラットプレートの接合構造によれば、下階柱２の柱頭に鋼板６を載置し、この鋼板６の上面に上階柱１の柱脚を載置した構造であって、これらの周囲に、鋼板６を内包するようにしてフラットプレート３を打設しているために、フラットプレート３に作用する荷重を、上下階柱１、２から外方に延出する鋼板６を介して下階柱２に伝達することができる。この結果、梁および支板等を無くすことができ、建築・設備計画上も、型枠・配筋作業等の施工上も有利となる。
【００３０】
また、型枠作業において、フラットプレート３の打設にシステム型枠を使用する場合には、一層施工性を向上させることが可能になる。
しかも、下階柱２と上階柱１とが鋼板６を間に介した別個の部材として構成されているために柱を接合する必要が無く、加工性にも優れる。
【００３１】
これにより、特に天井内空間に、従来のような梁や支板等による凹凸が無く、よって容易に所望とする開放性の高い空間を確保することができるために、設備機器類や配管等の配置やメンテナンススペースの確保等について、設計計画上の自由度を大幅に高めることができる。また、天井内の有効寸法を、梁や支板等が存在する従来の構造よりも小さくすることが可能になるために、建物階高を抑えて経済的な建物を実現することもできる。
【００３２】
加えて、鋼板６を間に介した下階柱２および上階柱１とフラットプレート３とを半剛接合とした結果、上下階柱１、２およびフラットプレート３に作用する曲げ応力を低減化させることができるために、上階柱１、下階柱２およびフラットプレート３の断面寸法を小さく抑えることも可能になる。
【００３３】
しかも、フラットプレート３内に、鋼板６の外周部分６ａの上方において上階柱１の外周を囲繞するせん断補強筋リング９を配設しているために、パンチング破壊に対する耐力を高めて、上記パンチング破壊の発生を未然に防止することもできる。
【００３４】
なお、上記構成からなる柱とフラットプレートの接合構造においては、上下階柱１、２とフラットプレート３とを半剛接合した結果、水平荷重に対する抵抗力が低くなる。
このため、上記接続構造は、一例として図４に示すような、コア部１０に所定の耐震性能を確保するための水平抵抗要素として耐震壁１１が設けられた建物の外周部に配置された柱１、２とフラットプレート３との接合構造に適用して、上記外周部における上階柱１の鉛直荷重を、フラットプレート３を介して下階柱２に伝達させるようにした場合に、上述した優れた効果を発揮することができて好適である。
【００３５】
また、上記実施形態においては、上階柱１の柱脚および下階柱２の柱頭の周囲に、鋼板６を内包するようにしてフラットプレート３を打設した場合についてのみ説明したが、本発明はこれに限定されるものではなく、例えば図５に示すように、鋼板６の下面をフラットプレート３の下面と連続するように配置することにより、上階柱１の柱脚の周囲に、鋼板６を内包するようにしてフラットプレート３を打設してもよい。この場合には、鋼板６の下面には、耐火被覆または耐火塗料を施す。
【００３６】
また、上階柱１、鋼板６および下階柱２間に、柱間のずれ防止および引き抜き防止のための鉄筋等からなる芯材２０を挿入したり、あるいは下階柱２と鋼板６とのずれ防止のために、鋼板６の下面に下階柱２を囲繞する鋼管２１を接合しても良い。
【００３７】
さらに、上記実施形態においては、鋼板６の外周部分６ａの上方において上階柱１の外周を囲繞するせん断補強筋として、せん断補強筋リング９を配筋した場合について示したが、これに限るものではなく、図６に示すせん断補強筋２２を適用することもできる。ちなみに、これらのせん断補強筋２２は、上下端部が屈曲されて、各々フラットプレート３内の上下部にそれぞれ水平面内のＸ−Ｙ方向に配筋された複数本のスラブ筋８の交差部に絡げられたものである。
【００３８】
なお、上記実施形態においては、本発明に係るスラブとしてフラットプレート３に適用した場合についてのみ説明したが、これに限定されるものではなく、フラットスラブを用いた場合においても同様に適用することができる。
【産業上の利用可能性】
【００３９】
間柱等の柱と、フラットスラブまたはフラットプレートとを接合するための構造として利用可能である。
【符号の説明】
【００４０】
１  上階柱
２  下階柱
３  フラットプレート（スラブ）
６  鋼板
６ａ  鋼板の外周部分
９  せん断補強筋リング（せん断補強筋）
２２  せん断補強筋
【図１】
2011149211.tif 000003
【図２】
2011149211.tif 000004
【図３】
2011149211.tif 000005
【図４】
2011149211.tif 000006
【図５】
2011149211.tif 000007
【図６】
2011149211.tif 000008